(57)【要約】      （修正有）【課題】セーリングストップ制御の開始タイミングを早める。【解決手段】変速機コントローラ１１は、セーリングストップ制御の開始条件が成立した場合は、エンジン１にかかる負荷を増加させる。エンジンにより駆動されるオイルポンプ６ｍと、オイルポンプの吐出口と接続され、自動変速機１５のライン圧を供給するライン圧供給油路５１と、を備え、制御部１１は、セーリングストップ制御の開始条件が成立した場合は、ライン圧を上昇させる。自動変速機は、一対のプーリ４ａ，４ｂと一対のプーリに巻き掛けられたベルト４ｃとを有するバリエータを備え、制御部は、セーリングストップ制御の開始条件が成立した場合は、一対のプーリに供給する油圧をそれぞれ上昇させる。自動変速機は、ロックアップクラッチを有するトルクコンバータ２を備え、制御部は、セーリングストップ制御の開始条件が成立した場合は、ロックアップクラッチ２ａを締結状態に維持する。【選択図】図１
2018012367.tif 000002
【特許請求の範囲】
【請求項１】
エンジンと、動力伝達機構を有する自動変速機と、を備えた車両の制御装置であって、
前記車両の走行中に前記エンジンの停止と前記動力伝達機構が有する締結要素の解放とを行うセーリングストップ制御を実行する際に、前記エンジンの回転速度を所定回転速度に維持した後に前記エンジンを停止する制御部を有し、
前記制御部は、前記セーリングストップ制御の開始条件が成立した場合は、前記エンジンにかかる負荷を増加させる、
ことを特徴とする車両の制御装置。
【請求項２】
請求項１に記載の車両の制御装置であって、
前記セーリングストップ制御の開始から前記エンジンの回転速度が前記所定回転速度に向かって減少している間に、前記エンジンの燃料を噴射し続ける、
ことを特徴する車両の制御装置。
【請求項３】
請求項１又は２に記載の車両の制御装置であって、
前記車両は、
前記エンジンにより駆動されるオイルポンプと、
前記オイルポンプの吐出口と接続され、前記自動変速機のライン圧を供給するライン圧供給油路と、
を備え、
前記制御部は、前記セーリングストップ制御の開始条件が成立した場合は、前記ライン圧を上昇させる、
ことを特徴とする車両の制御装置。
【請求項４】
請求項１から３のいずれかに記載の車両の制御装置であって、
前記自動変速機は、一対のプーリと前記一対のプーリに巻き掛けられたベルトとを有するバリエータを備え、
前記制御部は、前記セーリングストップ制御の開始条件が成立した場合は、前記一対のプーリに供給する油圧をそれぞれ上昇させる、
ことを特徴とする車両の制御装置。
【請求項５】
請求項１から４のいずれかに記載の車両の制御装置であって、
前記自動変速機は、ロックアップクラッチを有するトルクコンバータを備え、
前記制御部は、前記セーリングストップ制御の開始条件が成立した場合は、前記ロックアップクラッチを締結状態に維持する、
ことを特徴とする車両の制御装置。
【請求項６】
エンジンと、動力伝達機構を有する自動変速機と、を備えた車両の制御方法であって、
前記車両の走行中に前記エンジンの停止と前記動力伝達機構が有する締結要素の解放とを行うセーリングストップ制御を実行する際に、前記エンジンの回転速度を所定回転速度に維持した後に前記エンジンを停止し、
前記セーリングストップ制御の開始条件が成立した場合は、前記エンジンにかかる負荷を増加させる、
ことを特徴とする車両の制御方法。
【発明の詳細な説明】
【技術分野】
【０００１】
本発明は、車両の制御装置及び車両の制御方法に関する。
【背景技術】
【０００２】
従来から、以下の条件（ａ）〜（ｄ）が成立すると自動変速機をニュートラル（動力遮断状態）とし、且つ、エンジンを停止するセーリングストップ制御が知られている。
【０００３】
（ａ）Ｄ（前進）レンジが選択されている。
（ｂ）車速が設定車速以上（中〜高車速）である。
（ｃ）アクセルペダルが踏み込まれていない（アクセルＯＦＦ）。
（ｄ）ブレーキペダルが踏み込まれていない（ブレーキＯＦＦ）。
【０００４】
このような技術は、例えば、特許文献１にフリーランとして開示されている。
【先行技術文献】
【特許文献】
【０００５】
【特許文献１】特開２０１３−２１３５５７号公報
【発明の概要】
【発明が解決しようとする課題】
【０００６】
セーリングストップ制御を実行する際は、排気対策として、エンジン回転速度を所定回転速度（例えば、アイドル回転速度）に維持して排気浄化触媒の酸素ストレージ量を適正化し、その後にエンジンを停止することが好ましい。
【０００７】
しかしながら、セーリングストップ制御を実行する直前のエンジン回転速度が所定回転速度よりも高い場合は、エンジン回転速度が所定回転速度に低下するまでに時間がかかるので、セーリングストップ制御の開始タイミングに遅れが生じることになる。
【０００８】
本発明は、このような技術的課題に鑑みてなされたもので、セーリングストップ制御の開始タイミングを早めることを目的とする。
【課題を解決するための手段】
【０００９】
本発明のある態様によれば、エンジンと、動力伝達機構を有する自動変速機と、を備えた車両の制御装置であって、前記車両の走行中に前記エンジンの停止と前記動力伝達機構が有する締結要素の解放とを行うセーリングストップ制御を実行する際に、前記エンジンの回転速度を所定回転速度に維持した後に前記エンジンを停止する制御部を有し、前記制御部は、前記セーリングストップ制御の開始条件が成立した場合は、前記エンジンにかかる負荷を増加させる、ことを特徴とする車両の制御装置が提供される。
【００１０】
また、本発明の別の態様によれば、エンジンと、動力伝達機構を有する自動変速機と、を備えた車両の制御方法であって、前記車両の走行中に前記エンジンの停止と前記動力伝達機構が有する締結要素の解放とを行うセーリングストップ制御を実行する際に、前記エンジンの回転速度を所定回転速度に維持した後に前記エンジンを停止し、前記セーリングストップ制御の開始条件が成立した場合は、前記エンジンにかかる負荷を増加させる、ことを特徴とする車両の制御方法が提供される。
【発明の効果】
【００１１】
これらの態様では、セーリングストップ制御の開始条件が成立した場合は、エンジンにかかる負荷を増加させる。これによれば、エンジン回転速度の低下を早めることができる。よって、セーリングストップ制御の開始タイミングを早めることができる。
【図面の簡単な説明】
【００１２】
【図１】本発明の実施形態に係る車両の概略構成図である。
【図２】コントローラが実行する処理の内容を示したフローチャートである。
【図３】セーリングストップ制御を開始する場合のタイムチャートである。
【発明を実施するための形態】
【００１３】
以下、添付図面を参照しながら本発明の実施形態について説明する。
【００１４】
図１は、本発明の実施形態に係る車両の概略構成図である。車両は、エンジン１と、トルクコンバータ２と、バリエータとしての無段変速機４と、動力伝達機構としての前後進切替機構３と、油圧制御回路５と、第１オイルポンプ６ｍと、第２オイルポンプ６ｅと、エンジンコントローラ１０と、変速機コントローラ１１とを備える。車両においては、エンジン１で発生した回転が、トルクコンバータ２、無段変速機４、前後進切替機構３、歯車組８、ディファレンシャルギヤ装置９を経て図示しない車輪に伝達される。トルクコンバータ２、無段変速機４、及び前後進切替機構３によって自動変速機１５が構成される。
【００１５】
トルクコンバータ２は、ロックアップクラッチ２ａを有しており、ロックアップクラッチ２ａが締結されると、トルクコンバータ２の入力軸と出力軸とが直結し、入力軸と出力軸とが同速回転する。
【００１６】
無段変速機４は、プライマリプーリ４ａと、セカンダリプーリ４ｂと、プライマリプーリ４ａ及びセカンダリプーリ４ｂに巻き掛けられたベルト４ｃと、を備える。無段変速機４では、プライマリプーリ４ａに供給される油圧Ｐｐ及びセカンダリプーリ４ｂに供給される油圧Ｐｓが制御されることで、各プーリ４ａ、４ｂとベルト４ｃとの接触半径が変更され、変速比が変更される。
【００１７】
前後進切替機構３は、締結要素としての前進クラッチ３ａ、及び後進ブレーキ３ｂを備え、前進クラッチ３ａの締結時に無段変速機４からの入力回転をそのまま出力し、後進ブレーキ３ｂの締結時に無段変速機４からの入力回転を逆転減速して出力する。
【００１８】
第１オイルポンプ６ｍは、エンジン１の回転が入力されエンジン１の動力の一部を利用して駆動される機械式のオイルポンプである。第１オイルポンプ６ｍの駆動により、第１オイルポンプ６ｍから吐出された油は、第１オイルポンプ６ｍの吐出口に接続されたライン圧供給油路としての油路５１を通じて油圧制御回路５に供給される。なお、エンジン１が停止している場合には、第１オイルポンプ６ｍは駆動されず、油は第１オイルポンプ６ｍから吐出されない。
【００１９】
第２オイルポンプ６ｅは、バッテリーから電力が供給されて駆動する電動式のオイルポンプである。第２オイルポンプ６ｅの吐出口には油路５２が接続される。第１オイルポンプ６ｍが駆動されていない場合に第２オイルポンプ６ｅを駆動することで、エンジン停止中にも油を油圧制御回路５に供給することができる。
【００２０】
油圧制御回路５は、複数の流路、複数の油圧アクチュエータなどで構成される。油圧アクチュエータは、ソレノイドや油圧制御弁によって構成される。油圧制御回路５では、変速機コントローラ１１からの制御信号に基づき油圧アクチュエータを制御して油圧の供給経路を切り換えるとともに第１オイルポンプ６ｍ、及び第２オイルポンプ６ｅから吐出された油によって発生したライン圧ＰＬから必要な油圧を調製する。油圧制御回路５は、調製された油圧を無段変速機４、前後進切替機構３、トルクコンバータ２の各部位に供給する。
【００２１】
変速機コントローラ１１は、ＣＰＵ、ＲＯＭ、ＲＡＭなどから構成される。変速機コントローラ１１では、ＣＰＵがＲＯＭに記憶されたプログラムを読み出して実行することで、変速機コントローラ１１の機能が発揮される。
【００２２】
変速機コントローラ１１には、アクセルペダル開度ＡＰＯを検出するアクセル開度センサ２１からの信号、ブレーキペダルの操作量に対応したブレーキ液圧ＢＲＰを検出するブレーキ液圧センサ２２からの信号、シフトレバー４０の位置を検出するインヒビタスイッチ２３からの信号が入力される。また、変速機コントローラ１１には、無段変速機４の入力側（トルクコンバータ２側）の回転速度を検出する回転速度センサ（図示せず）からの信号、前後進切替機構３の入力側（無段変速機４側）の回転速度Ｎｉｎを検出する入力側回転速度センサ２４からの信号、前後進切替機構３の出力側（歯車組８側）の回転速度Ｎｏｕｔを検出する出力側回転速度センサ２５からの信号、エンジン１の回転速度Ｎｅを検出する回転速度センサ４１からの信号等が入力される。
【００２３】
変速機コントローラ１１とエンジンコントローラ１０とは相互に通信可能となっている。なお、変速機コントローラ１１とエンジンコントローラ１０とを統合して１つのコントローラとしてもよい。
【００２４】
本実施形態では、車両の走行中にセーリングストップ制御開始条件が成立すると、エンジン１への燃料噴射を中止してエンジン１を停止し、前後進切替機構３において前進クラッチ３ａ、及び後進ブレーキ３ｂを解放してニュートラル状態とするセーリングストップ制御が実行される。
【００２５】
これにより、エンジン１を停止した状態での惰性走行距離が長くなり、エンジン１の燃費を向上させることができる。
【００２６】
セーリングストップ制御開始条件は、例えば以下の条件である。
【００２７】
（ａ）シフトレバー４０によってＤ（前進）レンジが選択されている。
（ｂ）車速ＶＳＰが設定車速以上である。
（ｃ）アクセルペダルが踏み込まれていない（アクセルＯＦＦ）。
（ｄ）ブレーキペダルが踏み込まれていない（ブレーキＯＦＦ）。
【００２８】
設定車速は、中〜高車速であり、予め設定されている。
【００２９】
セーリングストップ制御開始条件は上記（ａ）〜（ｄ）の条件を全て満たす場合に成立し、上記（ａ）〜（ｄ）のいずれかを満たさない場合には成立しない。
【００３０】
セーリングストップ制御中にセーリングストップ制御開始条件が成立しなくなった場合は、セーリングストップ制御を解除し、エンジン１を始動し、前進クラッチ３ａを締結する。つまり、セーリングストップ制御開始条件は、セーリングストップ制御を解除するためのセーリングストップ制御解除条件でもある。なお、セーリングストップ制御開始条件とセーリングストップ制御解除条件とを異なる条件としてもよい。セーリングストップ制御の実行及び解除は、変速機コントローラ１１によって実行される。
【００３１】
ところで、セーリングストップ制御を実行する際は、排気対策として、エンジン回転速度Ｎｅを所定回転速度（例えば、アイドル回転速度）に維持して排気浄化触媒（図示せず）の酸素ストレージ量を適正化し、その後にエンジン１を停止することが好ましい。
【００３２】
しかしながら、セーリングストップ制御を実行する直前のエンジン回転速度Ｎｅが所定回転速度よりも高い場合は、エンジン回転速度Ｎｅが所定回転速度に低下するまでに時間がかかるので、セーリングストップ制御の開始タイミングに遅れが生じることになる。
【００３３】
このため、本実施形態の変速機コントローラ１１は、セーリングストップ制御の開始タイミングを早めるべく、セーリングストップ制御開始条件が成立すると、図２のフローチャートに示す手順に従ってセーリングストップ制御を開始するようになっている。
【００３４】
以下、セーリングストップ制御開始条件が成立した場合に変速機コントローラ１１が実行する処理の内容について、図２を参照しながら説明する。なお、本実施形態では、所定回転速度はアイドル回転速度である。
【００３５】
ステップＳ１１では、変速機コントローラ１１は、前進クラッチ３ａを解放するとともに、エンジンコントローラ１０に微量の燃料噴射をし続けるように指示を発信する。これにより、エンジン１の回転速度Ｎｅが低下する。
【００３６】
前進クラッチ３ａは、変速機コントローラ１１からの解放指示により油圧制御回路５から前進クラッチ３ａに供給される油圧Ｐｆを低下させると解放される。なお、解放指示とは、例えば、前進クラッチ３ａのクラッチ圧を低下させるために制御ソレノイドバルブに電流変更指示をすること等が該当する。
【００３７】
ステップＳ１２では、変速機コントローラ１１は、エンジン回転速度Ｎｅから所定回転速度としてのアイドル回転速度を減じた値（以下、回転速度演算値という。）が第１所定値よりも大きいか判定する。第１所定値は、例えば３００ｒｐｍである。
【００３８】
変速機コントローラ１１は、回転速度演算値が第１所定値よりも大きいと判定すると、処理をステップＳ１３に移行する。また、回転速度演算値が所定値以下と判定すると、処理をステップＳ１５に移行する。
【００３９】
ステップＳ１３では、変速機コントローラ１１は、ライン圧ＰＬを上昇させるとともに、ロックアップクラッチ２ａの締結状態を維持する。
【００４０】
この時点では、エンジン１の残回転により第１オイルポンプ６ｍが駆動されるので、ライン圧ＰＬを調整可能となっている。ここで、ライン圧ＰＬを上昇させると、第１オイルポンプ６ｍの吐出口の油圧抵抗が増加し、第１オイルポンプ６ｍの回転負荷が増加する。これにより、エンジン１にかかる負荷が増加するので、エンジン回転速度Ｎｅの低下を早めることができる。
【００４１】
また、本実施形態では、油圧Ｐｐ及び油圧Ｐｓとして、プライマリプーリ４ａ及びセカンダリプーリ４ｂにライン圧ＰＬを直接供給できるようになっている。このため、ライン圧ＰＬを上昇させることで、油圧Ｐｐ、Ｐｓをそれぞれ上昇させることができる。
【００４２】
一般に、各プーリ４ａ、４ｂに供給される油圧Ｐｐ、Ｐｓが上昇して各プーリ４ａ、４ｂの挟持力が増加すると、ベルト４ｃと各プーリ４ａ、４ｂとの間に生じるフリクションによりエネルギーロスが増加する。エンジン１の停止までの間はエンジン１から各プーリ４ａ、４ｂへの動力伝達が行われているので、フリクションによるエネルギーロスの増加により、エンジン回転速度Ｎｅの低下を早めることができる。
【００４３】
また、ロックアップクラッチ２ａの締結状態を維持することで、エンジン１、ポンプインペラ、及びタービンランナが一体となって回転することになる。これにより、エンジン１にポンプインペラ及びタービンランナの回転イナーシャ分の負荷がかかる。また、ポンプインペラ及びタービンランナが回転する際のフリクションロスも生じる。よって、エンジン回転速度Ｎｅの低下を早めることができる。
【００４４】
ステップＳ１４では、変速機コントローラ１１は、回転速度演算値が第２所定値以下になったか判定する。第２所定値は、例えば、２００ｒｐｍである。なお、第１所定値と第２所定値とを同じ値としてもよい。
【００４５】
変速機コントローラ１１は、回転速度演算値が第２所定値以下になったと判定すると、処理をステップＳ１５に移行する。また、回転速度演算値が第２所定値以下になっていないと判定すると、ステップＳ１４の処理を繰り返し行う。
【００４６】
ステップＳ１５では、変速機コントローラ１１は、エンジン１の停止条件が成立したか判定する。
【００４７】
エンジン１の停止条件は、排気浄化触媒の酸素ストレージ量が適正化されたか否かについての判定条件である。停止条件は、例えば、エンジン１がアイドル回転速度になってからの経過時間に基づいて設定してもよいし、Ｏ２センサ（図示せず）からの信号に基づいて設定してもよい。また、排気浄化触媒の温度が所定温度以上になったか（アイドル運転で暖まったか）否かに基づいて設定してもよい。
【００４８】
変速機コントローラ１１は、エンジン１の停止条件が成立したと判定すると、排気浄化触媒の酸素ストレージ量が適正化されたとして、処理をステップＳ１６に移行する。また、エンジン１の停止条件が成立していないと判定すると、エンジン回転速度Ｎｅをアイドル回転速度に維持し（ステップＳ１７）、ステップＳ１５の処理を繰り返し行う。
【００４９】
ステップＳ１６では、変速機コントローラ１１は、エンジンコントローラ１０に燃料噴射中止指示を発信して燃料噴射を中止させ、エンジン１を停止させる。また、ライン圧ＰＬを、セーリングストップ制御中に第２オイルポンプ６ｅを駆動することで維持可能な所定圧まで低下させる。
【００５０】
このように、本実施形態では、セーリングストップ制御の開始条件が成立した場合は、ライン圧ＰＬを上昇させること、各プーリ４ａ、４ｂに供給する油圧Ｐｐ、Ｐｓを上昇させること、及びロックアップクラッチ２ａの締結状態を維持することにより、エンジン１にかかる負荷を増加させる。
【００５１】
これによれば、エンジン回転速度Ｎｅの低下を早めることができるので、エンジン回転速度Ｎｅがアイドル回転速度に低下するまでにかかる時間を短縮できる。よって、セーリングストップ制御の開始タイミングを早めることができ、燃費を向上させることができる。
【００５２】
続いて、図３のタイムチャートを参照しながら、セーリングストップ制御が開始される様子について説明する。
【００５３】
なお、エンジン回転速度Ｎｅ（一点鎖線）は、エンジン回転速度Ｎｅをアイドル回転速度に維持する際に、セーリングストップ制御の開始直後は燃料カットを行い、エンジン回転速度Ｎｅがアイドル回転速度付近になったときに燃料噴射を開始する場合を比較例１として示したものである。また、エンジン回転速度Ｎｅ（二点鎖線）は、燃料を噴射し続け、且つ、エンジン１にかかる負荷を増加させない場合を比較例２として示したものである。
【００５４】
時刻ｔ１でアクセルＯＦＦ（ＡＰＯ＝０）になると、セーリングストップ制御開始条件が成立する。また、燃料噴射量が低下するとともにライン圧ＰＬが低下する。
【００５５】
時刻ｔ２では、油圧Ｐｆが低下して前進クラッチ３ａが解放されるとともに、燃料噴射量が微量になる。これにより、エンジン回転速度Ｎｅ（実線）が低下を始める。また、前後進切替機構３の入力側の回転速度Ｎｉｎが、エンジン回転速度Ｎｅの低下に伴って低下する。なお、ロックアップクラッチ２ａは、エンジン回転速度Ｎｅの低下を早めるべく、締結状態が維持される（Ｌ／ＵクラッチＯＮ）。
【００５６】
時刻ｔ３では、ライン圧ＰＬが上昇する。これにより、第１オイルポンプ６ｍの回転負荷が増加する。また、無段変速機４に供給される油圧Ｐｐ及び油圧Ｐｓが上昇し、ベルト４ｃと各プーリ４ａ、４ｂとの間に生じるフリクションによりエネルギーロスが増加する。
【００５７】
時刻ｔ４では、エンジン回転速度Ｎｅからアイドル回転速度を減じた値（回転速度演算値）が第２所定値以下となる。
【００５８】
時刻ｔ５でエンジン停止条件が成立すると、燃料噴射が中止され、エンジン１が停止する。また、ライン圧ＰＬが所定圧に低下する。
【００５９】
なお、比較例１のように、エンジン回転速度Ｎｅをアイドル回転速度に維持する際に、セーリングストップ制御の開始直後は燃料カットを行い、アイドル回転速度付近になったときに燃料噴射を開始すると、燃料カットに伴うアンダーシュートと、多めの燃料噴射に伴うオーバーシュートが生じる。そのため、タコメータのふらつきが生じてドライバに違和感を与えることになる。
【００６０】
また、比較例２では、ドライバに違和感を与えぬように、微量の燃料を噴射し続けることにより、回転下げ時の傾きを緩やかにでき、アンダーシュート、オーバーシュートを抑制できるが、エンジン１にかかる負荷を増加させないので、回転下げ時の傾きが緩やかになり、その結果、エンジン１を停止するタイミングが時刻ｔ６まで遅れることになる。よって、燃料の噴射時間が増加してしまい燃費効果が削がれる。
【００６１】
これに対して、本実施形態のように燃料を噴射し続けると共に、エンジン１に負荷を与えることにより、ドライバへ与える違和感を低減しつつ、且つ、燃費効果が削がれることを抑制することができる。
【００６２】
以上述べたように、本実施形態では、変速機コントローラ１１は、セーリングストップ制御の開始条件が成立した場合は、エンジン１にかかる負荷を増加させる。
【００６３】
これによれば、エンジン回転速度Ｎｅの低下を早めることができるので、エンジン回転速度Ｎｅがアイドル回転速度に低下するまでにかかる時間を短縮できる。よって、セーリングストップ制御の開始タイミングを早めることができる（請求項１、６に対応する効果）。
【００６４】
ところで、セーリングストップ制御が開始したという情報はドライバへ視覚情報として伝達される。視覚情報は、例えば、タコメータ、インフォメーション表示等である。即ち、セーリングストップ制御が開始されエンジンが停止するとタコメータに表示される回転速度が０になる。
【００６５】
また、セーリングストップ制御が開始された直後にインフォメーション表示でセーリングストップ制御に入ったことをドライバに視覚情報(セーリングストップ表示)として伝達する。
【００６６】
ところが、セーリングストップ表示がなされたにも関わらず、タコメータに表示される回転速度が０にならない場合（若しくは、エンジン音が消えない場合）、ドライバに違和感を与える。
【００６７】
よって、セーリングストップ制御開始からエンジン停止までの時間を短縮することが好ましく、本実施形態によれば、セーリングストップ表示開始からエンジン停止までの時間を短縮すること、及び、惰性走行に入ってから、エンジンの回転数が０になるまでの時間が長くなることを抑制することができる（請求項１、６に対応する効果）。
【００６８】
また、特にインフォメーション表示をせず、単純にタコメータの回転速度表示だけでセーリングストップ制御に入ったことを報知することも考えられる。その場合、次のような効果が得られる。
【００６９】
すなわち、アクセルペダルを離して惰性走行に入った場合、ドライバは、セーリングストップを期待し、タコメータでエンジン回転速度Ｎｅが０になったか確認することが想定される。しかしながら、惰性走行を開始してから、タコメータの回転速度表示が０になるまでの時間が長いと、ドライバに、セーリングストップの反応が遅い、との印象を与えてしまう。
【００７０】
本実施形態によれば、上記の場合にも、惰性走行を開始してからタコメータの回転速度表示が０になるまでの時間が長くなることを抑制できるため、ドライバにセーリングストップの反応が遅い、との印象を与えてしまうことを軽減できる（請求項１、６に対応する効果）。
【００７１】
また、本実施形態では、セーリングストップ制御の開始からエンジン回転速度Ｎｅが所定回転速度（アイドル回転速度）に向かって減少している間に、エンジン１の燃料を噴射し続ける。
【００７２】
これによれば、燃料を噴射し続けると共に、エンジン１に負荷を与えることにより、ドライバへ与える違和感を低減しつつ、且つ、燃費効果が削がれることを抑制することができる（請求項２に対応する効果）。
【００７３】
具体的には、本実施形態の車両は、エンジン１により駆動される第１オイルポンプ６ｍと、第１オイルポンプ６ｍの吐出口と接続され、自動変速機１５のライン圧ＰＬを供給する油路５１と、を備え、変速機コントローラ１１は、セーリングストップ制御の開始条件が成立した場合は、ライン圧ＰＬを上昇させる。
【００７４】
これによれば、第１オイルポンプ６ｍの吐出口の油圧抵抗が増加し、第１オイルポンプ６ｍの回転負荷が増加する。これにより、エンジン１にかかる負荷が増加するので、エンジン回転速度Ｎｅの低下を早めることができる（請求項３に対応する効果）。
【００７５】
また、自動変速機１５は、一対のプーリ４ａ、４ｂと一対のプーリ４ａ、４ｂに巻き掛けられたベルト４ｃとを有する無段変速機４を備え、変速機コントローラ１１は、セーリングストップ制御の開始条件が成立した場合は、一対のプーリ４ａ、４ｂに供給する油圧Ｐｐ、Ｐｓをそれぞれ上昇させる、
【００７６】
これによれば、各プーリ４ａ、４ｂの挟持力が増加し、ベルト４ｃと各プーリ４ａ、４ｂとの間に生じるフリクションによりエネルギーロスが増加する。エンジン１の停止までの間はエンジン１から各プーリ４ａ、４ｂへの動力伝達が行われている。よって、フリクションによるエネルギーロスの増加によりエンジン１にかかる負荷が増加するので、エンジン回転速度Ｎｅの低下を早めることができる（請求項４に対応する効果）。
【００７７】
また、自動変速機１５は、ロックアップクラッチ２ａを有するトルクコンバータ２を備え、変速機コントローラ１１は、セーリングストップ制御の開始条件が成立した場合は、ロックアップクラッチ２ａを締結状態に維持する。
【００７８】
これによれば、エンジン１、ポンプインペラ、及びタービンランナが一体となって回転することになる。このため、エンジン１にポンプインペラ及びタービンランナの回転イナーシャ分の負荷がかかる。また、ポンプインペラ及びタービンランナが回転する際のフリクションロスも生じる。よって、エンジン回転速度Ｎｅの低下を早めることができる（請求項５に対応する効果）。
【００７９】
以上、本発明の実施形態について説明したが、上記実施形態は本発明の適用例の一部を示したものに過ぎず、本発明の技術的範囲を上記実施形態の具体的構成に限定する趣旨ではない。
【００８０】
例えば、上記実施形態では、ライン圧ＰＬを上昇させること、各プーリ４ａ、４ｂに供給する油圧Ｐｐ、Ｐｓを上昇させること、及びロックアップクラッチ２ａの締結状態を維持することによりエンジン１の負荷を増加させている。しかしながら、これら全てを同時に実行する必要はなく、いずれか一つでも実行すればエンジン１の負荷を増加させることができる。
【００８１】
また、上記実施形態では、自動変速機１５が動力伝達機構として前後進切替機構３を有する場合について説明したが、自動変速機１５が動力伝達機構として前後進を切り替え可能な副変速機構を有してもよい。
【００８２】
また、自動変速機１５は、バリエータとして、無段変速機４ではなく有段変速機、或いはトロイダル型の無段変速機を有して構成されてもよい。有段変速機、或いはトロイダル型の無段変速機を有する場合であっても、供給する油圧を上昇させることでフリクションによるエネルギーロスが増加し、エンジン回転速度Ｎｅの低下を早めることができる。
【００８３】
また、上記実施形態では、前後進切替機構３が無段変速機４の下流側に設けられているが、前後進切替機構３を無段変速機４の上流側に設けてもよい。この場合において、無段変速機４に供給する油圧Ｐｓ、Ｐｐを上昇させることでエンジン回転速度Ｎｅの低下を早めるには、エンジン回転速度Ｎｅがアイドル回転速度に低下するまで前進クラッチ３ａの締結状態を維持しておけばよい。
【符号の説明】
【００８４】
１      エンジン
２      トルクコンバータ
２ａ    ロックアップクラッチ
３      前後進切替機構（動力伝達機構）
３ａ    前進クラッチ（締結要素）
４      無段変速機（バリエータ）
４ａ    プライマリプーリ（プーリ）
４ｂ    セカンダリプーリ（プーリ）
４ｃ    ベルト
６ｍ    第１オイルポンプ（オイルポンプ）
１１    変速機コントローラ（制御部）
１５    自動変速機
５１    油路（ライン圧供給油路）
【図１】
2018012367.tif 000003
【図２】
2018012367.tif 000004
【図３】
2018012367.tif 000005